(57)【要約】【課題】燃焼量幅を大きくしても安定して燃焼する温風暖房機を提供する。【解決手段】  有底円筒状の気化筒１３と、気化筒１３の上方に設けたバーナヘッド２２と、バーナヘッド２２を覆う燃焼筒３５と、燃焼筒３５の後部に設けられたプロペラファンからなる対流ファン５とを備え、燃焼筒３５の背面下部に二次空気導入口３６、３７を形成した温風暖房機で、二次空気導入口３６、３７よりも燃焼筒３５内部の位置に通風抵抗部３８を設けたので、燃焼量が大きい時は必要以上の大量な空気が二次空気導入口３６、３７に流入するのを防止して、燃焼筒３５が冷やされて燃焼温度が低下し、ＣＯの発生が増加することを防止でき、燃焼量が小さい時は、炎に空気が直接当たって燃焼温度が低下し、ＣＯの発生が増加することを防止できるものである。【選択図】  図２
2019002598.tif 000002
【特許請求の範囲】
【請求項１】
有底円筒状の気化筒と、該気化筒の上方に設けたバーナヘッドと、該バーナヘッドを覆う燃焼筒と、該燃焼筒の後部に設けられたプロペラファンからなる対流ファンとを備え、前記燃焼筒の背面下部に二次空気導入口を形成した温風暖房機に於いて、前記二次空気導入口よりも燃焼筒内部の位置に通風抵抗部を設けたことを特徴とする温風暖房機。
【請求項２】
前記通風抵抗部は、二次空気導入口の、斜行して流入する二次空気の斜行方向側に設けたことを特徴とする請求項１記載の温風暖房機。
【請求項３】
前記二次空気導入口は、燃焼筒の、流入する二次空気の斜行方向に開口した第1の二次空気導入口と、流入する二次空気の斜行方向とは異なる方向に開口した第２の二次空気導入口とからなり、前記第２の二次空気導入口を第1の二次空気導入口よりも大きく形成すると共に、前記通風抵抗部を第1の二次空気導入口の燃焼筒内部の位置に設けたことを特徴とする請求項１記載の温風暖房機。
【請求項４】
バーナヘッドより噴き出す予混合気を点火する点火プラグと炎の状態を検知するフレームロッドを二次空気導入口の通風抵抗部が設けられた側に配置したことを特徴とする請求項３記載の温風暖房機。
【発明の詳細な説明】
【技術分野】
【０００１】
本発明は、灯油等の燃料の燃焼によって発生する燃焼ガスと送風用空気を混合して温風として送風することで暖房を行う温風暖房機に関するものである。
【背景技術】
【０００２】
従来、この種のものに於いては、燃焼筒の背面下部に二次空気導入口を形成し、対流ファンからの送風空気の一部を二次空気導入口から二次空気として燃焼筒内に供給していた。（例えば、特許文献１参照。）
【０００３】
そこで燃焼量を大きくするには、燃焼筒内に供給する二次空気量を増加させる必要があり、二次空気量を増加させるために二次空気導入口を大きくすると最大燃焼量を大きくすることができるが、最大燃焼量より小さい燃焼量では、二次空気導入口から燃焼筒内に供給される二次空気が空気過多となり、燃焼筒が冷却されて温度が低下すると共に、バーナヘッドで形成されている火炎が増加した二次空気にあおられるために、燃焼温度が低下してしまい、それにより燃焼ガス内のＣＯが増加してしまうという欠点があった。
【０００４】
そこで出願人は、燃焼筒の背面下部に二次空気導入口を形成し、燃焼筒基板でその二次空気導入口よりも燃焼筒外側の位置に、二次空気導入口を覆い隠す導入口遮蔽板を立設したものを発明した。（例えば、特許文献２参照。）
【先行技術文献】
【特許文献】
【０００５】
【特許文献１】特開２００６−８４１２４号
【特許文献２】特開２００９−８５５６１号
【発明の概要】
【発明が解決しようとする課題】
【０００６】
ところで、この従来のものでは、最小燃焼量を小さくしようとすると炎がより小さくなり、導入口遮蔽板を通過した二次空気が炎に当たって燃焼温度が低下してしまい、それにより燃焼ガス内のＣＯが増加してしまうという欠点があった。
【０００７】
又、炎が小さいと、導入口遮蔽板を通過した二次空気がそのまま燃焼筒内に設けた着火用電極に当たって着火用電極の温度を下げ、その温度の下がった着火用電極に炎が触れて燃焼温度が低下してしまい、それにより燃焼ガス内のＣＯが増加してしまうという欠点があった。
【課題を解決するための手段】
【０００８】
上記課題を解決するために、本発明の請求項１では、有底円筒状の気化筒と、該気化筒の上方に設けたバーナヘッドと、該バーナヘッドを覆う燃焼筒と、該燃焼筒の後部に設けられたプロペラファンからなる対流ファンとを備え、前記燃焼筒の背面下部に二次空気導入口を形成した温風暖房機に於いて、前記二次空気導入口よりも燃焼筒内部の位置に通風抵抗部を設けたものである。
【０００９】
また、請求項２では、前記通風抵抗部は、二次空気導入口の、斜行して流入する二次空気の斜行方向側に設けたものである。
【００１０】
また、請求項３では、前記二次空気導入口は、燃焼筒の、流入する二次空気の斜行方向に開口した第1の二次空気導入口と、流入する二次空気の斜行方向とは異なる方向に開口した第２の二次空気導入口とからなり、前記第２の二次空気導入口を第1の二次空気導入口よりも大きく形成すると共に、前記通風抵抗部を第1の二次空気導入口の燃焼筒内部の位置に設けたものである。
【００１１】
また、請求項４では、バーナヘッドより噴き出す予混合気を点火する点火プラグと炎の状態を検知するフレームロッドを二次空気導入口の通風抵抗部が設けられた側に配置したものである。
【発明の効果】
【００１２】
この発明の請求項１によれば、燃焼筒の背面下部に形成し、前記二次空気導入口よりも燃焼筒内部の位置に通風抵抗部を設けたので、燃焼量が大きい時は、通風抵抗部が二次空気導入口に流入しようとする二次空気の抵抗となって、必要以上の大量な空気が二次空気導入口に流入するのを防止して、二次空気量が不足することで燃焼温度が高くなり、窒素酸化物の発生が増加するのを防止すると共に、二次空気量が必要量を超えて空気過多となることで燃焼筒が冷やされて燃焼温度が低下し、ＣＯの発生が増加することを防止できるものである。
【００１３】
又、燃焼量が小さい時は、二次空気導入口に流入した二次空気が燃焼筒内部の位置に設けた通風抵抗部に衝突して通風抵抗部の左右又は上方に流れ、バーナヘッドの炎孔に形成された炎に直接当たって燃焼温度が低下し、ＣＯの発生が増加することを防止できるものである。
【００１４】
又、請求項２によれば、通風抵抗部は、二次空気導入口の、斜行して流入する二次空気の斜行方向側に設けたので、対流ファンであるプロペラファンの特性で背面から斜行して流れてくる二次空気は、二次空気導入口の空気の斜行方向の開口部分に多く流入し、二次空気導入口の空気の斜行方向空気ではない方向の開口部分には少なく流入するので、空気の斜行方向に開口している二次空気導入口の開口部分に多く流入しようとする二次空気が通風抵抗部に衝突して、二次空気導入口に流入する空気を均一にして、流入する空気量が不均一により炎が不安定になるのを防止できるものである。
【００１５】
又、請求項３によれば、前記二次空気導入口は、燃焼筒の、流入する二次空気の斜行方向に開口した第1の二次空気導入口と、流入する二次空気の斜行方向とは異なる方向に開口した第２の二次空気導入口とからなり、前記第２の二次空気導入口を第1の二次空気導入口よりも大きく形成すると共に、前記通風抵抗部を第1の二次空気導入口の燃焼筒内部の位置に設けたので、空気の斜行方向に開口している第1の二次空気導入口の開口部分に空気が多く流入しようとするのを通風抵抗部が抑え、空気の斜行方向ではない方向に開口している第２の二次空気導入口の開口部分を大きく形成して流入しようとする空気を多くして、燃焼筒内に流入する空気を均一にして、流入する空気量が不均一により炎が不安定になるのを防止できるものである。
【００１６】
又、請求項４によれば、バーナヘッドより噴き出す予混合気を点火する点火プラグと炎の状態を検知するフレームロッドを二次空気導入口の通風抵抗部が設けられた側に配置したので、燃焼量が小さい時、第1の二次空気導入口より流入した二次空気は通風抵抗部に衝突して通風抵抗部の左右又は上方に流れる。
これにより通風抵抗部が設けられた第1の二次空気導入口より流入した二次空気が、第1の二次空気導入口近くに配置された点火プラグ及びフレームロッドに当たって点火プラグ及びフレームロッドを冷やすことがなく、冷えた点火プラグ及びフレームロッドにバーナヘッドの炎孔に形成された炎が触れて燃焼温度が低下してＣＯの発生が増加するのを防止できるものである。
【図面の簡単な説明】
【００１７】
【図１】この発明の一実施形態を示す温風暖房機の概略断面図。
【図２】同送風ボックスの背面図。
【図３】同送風ボックス及びバーナー部の分解斜視図。
【図４】同バーナーを取付けた状態での燃焼筒の断面図。
【図５】同底板整流板の斜視図。
【図６】同組み付け状態での抵抗部付近の要部斜視図。
【発明を実施するための形態】
【００１８】
次に、この発明の一実施形態を図面に基づいて説明する。
１は温風暖房機本体で、２は前面上部に備えられた操作部、３は温風を案内するルーバ４が取り付けられた温風吹出口、５は背面の温風取入口６にファンガード７を介して取り付けられたプロペラファンからなる対流ファン、８は前記温風取入口６と温風吹出口３とを連通する送風ボックスで、前記機器本体１の外装体は、前面を覆う前パネル９と、上面を覆う上面板１０と、側面及び背面を覆う背面板１１とを置き台１２の上に固定して構成されている。
【００１９】
１３は有底円筒状の気化筒で、その内部を燃料の気化可能温度まで加熱する加熱手段としてシーズヒータ１４が埋設されており、気化させた燃料と燃焼用空気とを予め混合して予混合気とするものである。
【００２０】
１５はノズルホルダーで、気化筒１３内に燃焼用空気を供給するための燃焼用空気口１６と、２次空気を供給するための２次空気用口１６が設けられ、前記燃焼用空気口１６の内部には燃料を噴出する燃料供給用ノズル（図示せず）を配設し、その燃焼用空気口１６を気化筒１３の側壁の下方に形成してある差込口（図示せず）に差し込んで固定し、燃料供給用ノズルを気化筒１３内に臨ませてあるものである。
１７は燃焼ファンで、燃焼用空気口１６に燃焼用空気を供給するものである。
【００２１】
１８はバーナ取付台で、板状の取付面１９の略中央に通気孔２０が形成されている。
２１は有底円筒状のヒータカバーで、気化筒１３を内設してその開口部分がバーナ取付台１８の通気孔２０の下部に位置するようにバーナ取付台１８にねじ（図示せず）にて固定し、さらに気化筒１３とバーナ取付台１８との間にポットパッキン（図示せず）を介在させて密着させて固定するものである。
また、ヒータカバー２１の底面には、気化筒１３内にねじ込まれて気化筒１３内の温度を検知するポットサーミスタ（図示せず）が固定され、更に気化筒１３内の異常過熱を検知するバーナサーモスタット（図示せず）がねじ（図示せず）にて固定されているものである。
【００２２】
２２は有底円筒状のバーナヘッドで、バーナ取付台１８の通気孔２０の上部に底面側を上にして上面として配設され、その周壁には炎孔２３が略等間隔に複数形成され、炎孔２３の内周及び外周には、筒状の金網からなる内周多孔部材（図示せず）と外周多孔部材２４とが、その該炎孔２３を覆うように張設されており、バーナ取付台１８の通気孔２０の上部に位置して配設されるものである。
【００２３】
２５はバーナヘッドリングで、バーナヘッド２２の周囲下方よりリング状に炎孔２３を覆うように配設したもので、バーナ取付台１８にバーナヘッド２２と共にねじ（図示せず）にて固定され、バーナヘッド２２の炎孔２３に形成される炎により加熱され、シーズヒータ１４により加熱されなくとも、気化筒１３を燃料の気化可能温度に保つ、いわゆるヒートバックを取るものである。
【００２４】
２６はバーナヘッド２２より噴き出す予混合気を点火する点火プラグで、２７は炎の状態を検知するフレームロッドで、点火プラグ２６及びフレームロッド２７共、その先端がバーナヘッド２２の炎孔２３近傍に位置するように設けられているものである。
【００２５】
２８は外筒底板で、板状の取付面２９の略中央に通気孔３０が形成されている。
３１は底板整流板で、中空円板状の底板部３２の円周部分に略等間隔に脚部３３が複数形成され、該脚部３３の先端に設けた差し込み部３４を外筒底板２８の通気孔３０周辺に形成した差し込み孔（図示せず）に差込んで折り曲げることにより外筒底板２８に固定されるものである。
【００２６】
３５は外筒底板２８上に設けられた中空円筒状の燃焼筒で、筒内側に外筒底板２８の通気孔３０や底板整流板３１が位置するように設けられ、背面下部には正面から見て背面中心から右側、つまり点火プラグ２６及びフレームロッド２７側に第1の二次空気導入口３６が形成され、正面から見て背面中心から左側、つまり正面から見て第1の二次空気導入口３６の左側に第２の二次空気導入口３７が形成されている。
【００２７】
前記底板整流板３１の底板部３２により、第1の二次空気導入口３６や第２の二次空気導入口３７から燃焼筒３５内に流入した空気が全てすぐ上昇するのを防止して、燃焼筒３５内に流入した空気の一部がバーナヘッドリング２５に到達するようにするものであり、又、第２の二次空気導入口３７に対して底板整流板３１が第２の二次空気導入口３７の開口部分を上下に分割するように設けられているので、第２の二次空気導入口３７から流入した空気の一部が底板整流板３１よりも上方に流入して底板整流板３１の下方から流入する空気とのバランスを取って安定した炎が形成されるように設けられているものである。
【００２８】
又、前記底板整流板３１の円周部分には下に向かって舌状の通風抵抗部３８が形成され、燃焼筒３５の第1の二次空気導入口３６とバーナヘッド２２との間に位置するものである。
又、第２の二次空気導入口３７は第1の二次空気導入口３６より大きく形成されている。
【００２９】
前記通風抵抗部３８を底板整流板３１の円周部分に下に向かって舌状に形成したことにより、従来のように外筒底板２８の取付面２９を一部切り起こして通風抵抗部３８を形成することによって燃焼筒３５内に流入した空気が外筒底板２８の下方に流れてしまうのを防止でき、又、通風抵抗部３８と取付面２９との間に隙間が形成され、そこから流入した空気の一部がバーナヘッドリング２５に到達するようになっているので、通風抵抗部３８が位置するところだけバーナヘッドリング２５に到達する空気が少なくなることがなく、それにより安定した炎が形成されるものである。
【００３０】
これは対流ファン５により温風暖房機本体１内に流入する空気が、対流ファン５の羽根の回転の影響で、温風暖房機本体１背面から前面に向かって左方向に斜めに流入するため、正面から見て背面中心から右側に形成された第1の二次空気導入口３６は空気が入りやすく、正面から見て背面中心から左側に形成された第２の二次空気導入口３７は空気が入りにくいため、空気が入りにくい第２の二次空気導入口３７を空気が入りやすい第1の二次空気導入口３６よりも大きく形成しているものである。
【００３１】
３９は中空円板状の炎筒カバーで、燃焼筒３５の上方に設けられているものである。
４０は送風ボックスで、外筒底板２８の炎筒カバー３９が固定された燃焼筒３５が取付けられた底板整流板３１に、左右の側面部４１、４２と天板部４３からなる断面コの字状の送風ボックスカバー部４４が取り付けられたもので、送風ボックス４０の正面と背面は開口されていて、背面には温風取入口６からの送風が流入する送風流入部（図示せず）、正面には温風吹出口３へ温風を流出する送風流出部４５が形成されている。
【００３２】
次にこの温風暖房機の動作について説明する。
まず操作部２の運転スイッチ（図示せず）がＯＮ操作されると、制御部（図示せず）は燃焼を開始するために着火動作を実施し、フレームロッド２７により着火が検知されると、検知した室温と操作部２により設定された設定温度との温度差により制御部が燃焼量を制御する。
【００３３】
そこで燃焼量が大きい時は、燃料供給用ノズルから気化筒１３内に供給される燃油や燃焼ファン１７から気化筒１３内に供給される燃焼用空気が多く、対流ファン５により温風暖房機本体１内に流入する空気も多くなり、したがって燃焼筒３５の背面下部の第1の二次空気導入口３６及び第２の二次空気導入口３７にも二次空気が多く流入する。
【００３４】
この時、温風暖房機本体１内に流入する空気が温風暖房機本体１の背面から見て左方向から斜めに流入するため、正面から見て背面中心から右側に形成された第1の二次空気導入口３６は空気が入りやすいが、第1の二次空気導入口３６とバーナヘッド２２との間に底板整流板３１の通風抵抗部３８が位置しているので、第1の二次空気導入口３６に流入しようとする二次空気の抵抗となって、必要以上の大量な空気が第1の二次空気導入口３６から流入するのを防止するものである。
【００３５】
これにより空気が入りやすい第1の二次空気導入口３６の流入空気量と、空気が入りにくい第２の二次空気導入口３７の流入空気量とのバランスがとれて、バーナヘッド２２の周囲に均一に炎が形成され、二次空気量が不足することで燃焼温度が高くなり、窒素酸化物の発生が増加するのを防止すると共に、二次空気量が必要量を超えて空気過多となることで燃焼筒３５が冷やされて燃焼温度が低下し、ＣＯの発生が増加することを防止できるものである。
【００３６】
又、検知した室温と操作部２により設定された設定温度との温度差が小さくなって燃焼量が小さくなると、燃料供給用ノズルから気化筒１３内に供給される燃油や燃焼ファン１７から気化筒１３内に供給される燃焼用空気が少なく、対流ファン５により温風暖房機本体１内に流入する空気も少なくなり、したがって燃焼筒３５の背面下部の第1の二次空気導入口３６及び第２の二次空気導入口３７にも二次空気が少なく流入する。
【００３７】
この時、第1の二次空気導入口３６より流入した二次空気は、第1の二次空気導入口３６のバーナヘッド２２寄りの所に位置している底板整流板３１の通風抵抗部３８に衝突し、抵抗部３８の左右又は上方に流れていく。
【００３８】
これにより第1の二次空気導入口３６より流入した二次空気が、第1の二次空気導入口３６近くに配置された点火プラグ２６及びフレームロッド２７に当たって点火プラグ２６及びフレームロッド２７を冷やすことがなく、冷えた点火プラグ２６及びフレームロッド２７にバーナヘッド２２の炎孔２３に形成された炎が触れて燃焼温度が低下してＣＯの発生が増加するのを防止できるものである。
【００３９】
尚、本実施例では燃焼筒３５の背面下部に第1の二次空気導入口３６及び第２の二次空気導入口３７を設けたがこれに限定されず、燃焼筒３５の背面下部に横長の二次空気導入口を一つ形成し、その二次空気導入口の点火プラグ２６及びフレームロッド２７側に通風抵抗部３８を設けてもよいものである。
【符号の説明】
【００４０】
５  対流ファン
１３  気化筒
２２  バーナヘッド
３５  燃焼筒
３６  第1の二次空気導入口
３７  第２の二次空気導入口
３８  通風抵抗部
【図１】
2019002598.tif 000003
【図２】
2019002598.tif 000004
【図３】
2019002598.tif 000005
【図４】
2019002598.tif 000006
【図５】
2019002598.tif 000007
【図６】
2019002598.tif 000008